(57)【要約】【課題】映像情報を選択受信するＳＴＢと分離設置した、デジタル映像情報を受信して画面表示するモニタが起動状態にある限り画面を無表示としない映像表示装置を提供する。【解決手段】モニタ電源スイッチ４によりモニタ電源装置１７から電源供給されモニタ１が起動されても、ＳＴＢ２から受信側ＩＣ１３に映像情報が受信されない場合、即ち、ＳＴＢ２からの映像情報の受信に先立って実施されるＳＴＢ２とモニタ１との間で認証動作中にある場合、認証結果、認証されなかった場合、ＳＴＢ２の起動信号が一定経過時間内にモニタ１側に受信できなかった場合のいずれかの場合、モニタ１単独で内蔵映像出力部１８を起動して、タイマ１８ａの時計情報、映像情報保存メモリ１８ｂの保存映像情報、カードスロット１８ｄから読み込んだ映像情報のいずれかをそのまま、又は、ＯＳＤ処理部１８ｃにて画像合成した映像情報を、モニタ出力回路１１に出力して画面表示させる。【選択図】        図２
2004187038.tif 000002
【特許請求の範囲】
【請求項１】
放送信号の受信用アンテナを含む外部映像入力機器の映像情報をユーザによる選択指示に基づいて選択受信するＳＴＢ（Ｓｅｔ    Ｔｏｐ  Ｂｏｘ）と、映像情報を表示するモニタとを分離して、該ＳＴＢと該モニタとの間をデジタル信号により映像情報を含むデータを伝送する映像表示装置において、前記モニタ側に、当該モニタ単独でモニタ画面に画面表示する映像情報を出力することができる内蔵映像出力部を備え、当該モニタの電源がオンにされて起動されている状態において前記ＳＴＢからの映像情報が受信されない場合には、前記内蔵映像出力部からの映像情報をモニタ画面に画面表示することを特徴とする映像表示装置。
【請求項２】
請求項１に記載の映像表示装置において、前記モニタの電源がオンにされて起動されている状態において前記ＳＴＢからの映像情報が受信されない場合として、前記ＳＴＢと前記モニタとが起動された際に、前記ＳＴＢからの映像情報の伝送に先立って、前記ＳＴＢと前記モニタとの間でそれぞれに予め割り付けられている固有のＩＤコードが予め定められた関係にあるか否かを照合手段にて照合することにより、映像情報の伝送が許容されている機器同士であるか否かを認証する機器間認証動作中の時間帯が含まれていることを特徴とする映像表示装置。
【請求項３】
請求項２に記載の映像表示装置において、映像情報の伝送が許容されている機器同士であるか否かを認証する機器間認証動作中の時間帯にある場合に、前記内蔵映像出力部からの映像情報を、機器間認証動作中であることを示す映像情報としてモニタ画面に画面表示することを特徴とする映像表示装置。
【請求項４】
請求項２又は３に記載の映像表示装置において、前記ＩＤコードを照合する動作を行なう前記照合手段が、前記ＳＴＢ側と前記モニタ側との双方に又はいずれか一方に備えられていて、前記ＳＴＢと前記モニタとが起動された際に、前記ＩＤコードを相手側の機器に送信することにより、双方又はいずれか一方の前記照合手段にて互いの機器の前記ＩＤコードを照合することを特徴とする映像表示装置。
【請求項５】
請求項４に記載の映像表示装置において、前記ＩＤコードを照合して機器間認証結果が得られた際に、相手側の機器に対して前記機器間認証結果を通知することを特徴とする映像表示装置。
【請求項６】
請求項４又は５に記載の映像表示装置において、前記モニタが、当該モニタに備えられている前記照合手段又は相手側の前記ＳＴＢから得られた機器間認証結果として、互いの機器間の認証が得られなかった場合には、前記内蔵映像出力部からの映像情報を、認証不良を示す映像情報としてモニタ画面に画面表示することを特徴とする映像表示装置。
【請求項７】
請求項１乃至６のいずれかに記載の映像表示装置において、前記モニタが起動されてから予め定められた一定の経過時間が経過するまでの間に、前記ＳＴＢから当該ＳＴＢが起動された旨を示す起動信号が受信されない場合には、前記内蔵映像出力部からの映像情報を、前記ＳＴＢが起動されていないことを示す映像情報としてモニタ画面に画面表示することを特徴とする映像表示装置。
【請求項８】
請求項１乃至７のいずれかに記載の映像表示装置において、ユーザが、前記内蔵映像出力部に対してモニタ画面に画面表示するための映像情報を登録指示したり、前記内蔵映像出力部に登録されている複数の映像情報の中からモニタ画面に画面表示すべき映像情報を選択して表示指示することができる表示指示手段を前記モニタ側に備えていることを特徴とする映像表示装置。
【請求項９】
請求項１乃至８のいずれかに記載の映像表示装置において、前記内蔵映像出力部が、現在時刻や日付やカレンダを計時する時計機能を有するタイマを備え、ユーザから直近に入力されていた表示指示に基づいて、前記内蔵映像出力部からモニタ画面に画面表示する映像情報として、現在時刻及び／又は日付情報及び／又はカレンダを画面表示させることができることを特徴とする映像表示装置。
【請求項１０】
請求項１乃至９のいずれかに記載の映像表示装置において、前記内蔵映像出力部が、複数の映像情報を保存することができる映像情報保存メモリを備え、ユーザから直近に入力されていた表示指示に基づいて、前記内蔵映像出力部からモニタ画面に画面表示する映像情報として、前記映像情報保存メモリに保存されているいずれかの映像情報を画面表示させることができることを特徴とする映像表示装置。
【請求項１１】
請求項１０に記載の映像表示装置において、前記内蔵映像出力部が、映像情報を蓄積したメモリカードを装着することができるカードスロット及び／又は外部の情報処理装置から映像情報を受信することができる接続用スロットを備え、ユーザからの登録指示に基づいて、前記カードスロット及び／又は前記接続用スロットから読み込まれる映像情報を、前記映像情報保存メモリに保存することができることを特徴とする映像表示装置。
【請求項１２】
請求項１乃至１１のいずれかに記載の映像表示装置において、前記内蔵映像出力部が、モニタ画面に画面表示するための情報を画像合成することができるＯＳＤ（Ｏｎ  Ｓｃｒｅｅｎ  Ｄｉｓｐｌａｙ）処理手段を備え、ユーザから直近に入力されていた表示指示に基づいて、ユーザにより選択された複数の情報を前記ＯＳＤ処理手段により画像合成してモニタ画面に画面表示する映像情報を生成して、モニタ画面に画面表示することができることを特徴とする映像表示装置。
【発明の詳細な説明】
【０００１】
【発明の属する技術分野】
本発明は、映像表示装置に関し、特に、テレビ放送番組の選局や映像機器の選択を行なうＳＴＢ（Ｓｅｔ    Ｔｏｐ  Ｂｏｘ）と映像を表示するモニタとを分離して、該ＳＴＢと該モニタ間を、デジタル信号を用いて映像情報を含むデータを伝送する映像表示装置に関する。
【０００２】
【従来の技術】
最近、映像表示装置としては、液晶テレビ、ＰＤＰ（Ｐｌａｓｍａ  Ｄｉｓｐｌａｙ    Ｐａｎｅｌ）、有機ＥＬ（Ｅｌｅｃｔｒｏ−Ｌｕｍｉｎｅｓｃｅｎｃｅ）等を用いて、壁掛け型をはじめとして多くの薄型モニタが開発されてきている。モニタの薄型化傾向に伴い、映像を表示するモニタと外部の映像機器からの映像情報を選択して受信するチューナ部即ちセットトップボックスＳＴＢとが別機器として分離して製造されると共に、ＳＴＢとモニタとの間を伝送する映像情報の劣化を防止するために、ＳＴＢとモニタとの間をデジタル信号を用いて伝送するＤＶＩ（Ｄｉｇｉｔａｌ  Ｖｉｓｕａｌ  Ｉｎｔｅｒｆａｃｅ）技術、及び、より鮮明でリアルな映像表示を可能とするデジタル・ディスプレイ技術が開発されてきている。
【０００３】
一方、ＳＴＢとモニタとの間をデジタル信号で伝送する場合、伝送されるデジタルコンテンツの盗聴を防止するために、該デジタル信号に対するコピープロテクト機能を装備することが重要であり、例えば、ＨＤＣＰ（Ｈｉｇｈ−ｂａｎｄｗｉｄｔｈ  Ｄｉｇｉｔａｌ    Ｃｏｎｔｅｎｔ  Ｐｒｏｔｅｃｔｉｏｎ）などのデジタル映像情報に対する暗号化技術を適用することが必要である。即ち、ＳＴＢとモニタとに、デジタル映像情報をスクランブルするデジタル暗号機能とスクランブルされているデジタル映像情報をデスクランブルする復号化機能とがそれぞれ埋め込まれ、互いに認証された機器同士においてのみ、スクランブルされたデジタル信号の伝送が可能とされる技術を併設することが必要とされている。
【０００４】
例えば、従来の衛星通信受信装置の場合においては、通信衛星から送信されてきたスクランブル映像情報と送信すべき相手の受信装置を示すアドレス信号などを受信アンテナにより受信して、記憶手段に予め記憶されているＩＤコードと受信したアドレス信号のデータとを比較し、一致していることが検知された場合にのみ、デコーダがスクランブル映像情報のスクランブルを解いて、映像情報を表示手段に映し出すこととし、一方、記憶しているＩＤコードとアドレス信号のデータとが不一致であることが検知された場合には、バックグラウンド画面制御手段により、前記表示手段の画面表示をオフにし、もって、スクランブルがかかっている画面を表示しないようにするという技術が開示されている（例えば、特許文献１参照）。
【０００５】
【特許文献１】
特開平３−６４１９１号公報（第３−４頁、第１図）
【０００６】
【発明が解決しようとする課題】
特開平３−６４１９１号公報に記載の従来の技術においては、受信したアドレス信号のデータと予め記憶されているＩＤコードとが一致した受信装置であった場合には、所望の映像コンテンツをモニタに表示させることができる一方、不一致であった場合即ち認証されない受信装置であった場合には、モニタに全く何も表示されなくなるか、あるいは、その旨の異なる表示がなされることとなる。
【０００７】
しかしながら、受信したアドレス信号のデータと予め記憶されているＩＤコードとの一致を確認するために要する照合動作時間即ち認証動作時間は、機器間認証システム（コピープロテクトシステム）や機器間認証レベル（コピープロテクトレベル）あるいは機器間の中継段数如何によっては、数秒以上十数秒も必要とされるものであり、かくのごとく長時間にも及ぶ機器間認証動作の間は、如何なる映像情報も一切モニタに映し出さない状態が継続する。従って、ユーザは、モニタ画面を見ているだけでは、映像表示装置の電源のオン・オフ状態を含めて、映像表示装置を構成するモニタやＳＴＢの機器の動作状態を全く把握することができなく、モニタに何らかの画面表示がなされるまで、ただひたすら待機するのみという不安定な状態に置かれることになるし、また、機器間の認証結果として認証が得られなかった場合や機器間認証動作が終了すると思われる時間経過しても認証結果が得られない場合も同様に、モニタには何ら画面表示がされない状態となってしまうことも生じかねない。
【０００８】
本発明は、かかる事情に鑑みてなされたものであり、テレビ放送番組の選局や映像機器の選択を行なうＳＴＢと映像を表示するモニタとを分離して、ＳＴＢとモニタとの間をデジタル信号を用いてデータ伝送する映像表示装置において、ＳＴＢとモニタとの間の機器間認証動作中の間や機器間認証結果として認証が得られなかった場合、更には、ＳＴＢの起動を示す起動信号が予め定められた一定時間内にモニタに受信されない場合、各種の映像情報（現在時刻やカレンダなどの時計情報や任意の文字列や各種の映像情報）をモニタ画面に画面表示させることができる内蔵映像出力部をモニタ自体に備えさせんとするものである。
【０００９】
また、機器間認証動作が終了し、ＳＴＢとモニタとの間の機器間認証が得られた時点で、内蔵映像出力部からの映像情報の表示を停止させて、ＳＴＢからの映像情報を表示させ、もって、映像表示装置のモニタが電源投入されて起動されている状態にある限り、モニタに何も画面表示されないというユーザにとって不安定な状態の発生を回避せんとするものである。
【００１０】
【課題を解決するための手段】
第１の技術手段は、放送信号の受信用アンテナを含む外部映像入力機器の映像情報をユーザによる選択指示に基づいて選択受信するＳＴＢと、映像情報を表示するモニタとを分離して、該ＳＴＢと該モニタとの間をデジタル信号により映像情報を含むデータを伝送する映像表示装置において、前記モニタ側に、当該モニタ単独でモニタ画面に画面表示する映像情報を出力することができる内蔵映像出力部を備え、当該モニタの電源がオンにされて起動されている状態において前記ＳＴＢからの映像情報が受信されない場合には、前記内蔵映像出力部からの映像情報をモニタ画面に画面表示する映像表示装置とすることを特徴とするものである。
【００１１】
而して、前記モニタが起動されている状態にある限り、たとえ、前記ＳＴＢからの映像情報がモニタ側に受信されない状態にあったとしても、前記内蔵映像出力部からの映像情報をモニタ画面に画面表示することができ、画面表示されない状態を回避することができる。
【００１２】
第２の技術手段は、前記第１の技術手段に記載の映像表示装置において、前記モニタの電源がオンにされて起動されている状態において前記ＳＴＢからの映像情報が受信されない場合として、前記ＳＴＢと前記モニタとが起動された際に、前記ＳＴＢからの映像情報の伝送に先立って、前記ＳＴＢと前記モニタとの間でそれぞれに予め割り付けられている固有のＩＤコードが予め定められた関係にあるか否かを照合手段にて照合することにより、映像情報の伝送が許容されている機器同士であるか否かを認証する機器間認証動作中の時間帯が含まれている映像表示装置とすることを特徴とするものである。
【００１３】
第３の技術手段は、前記第２の技術手段に記載の映像表示装置において、映像情報の伝送が許容されている機器同士であるか否かを認証する機器間認証動作中の時間帯にある場合に、前記内蔵映像出力部からの映像情報を、機器間認証動作中であることを示す映像情報としてモニタ画面に画面表示する映像表示装置とすることを特徴とするものである。
【００１４】
而して、前記第２又は第３の技術手段によれば、前記ＳＴＢと前記モニタとの間における機器間認証動作として、数秒乃至十数秒にも及ぶ長い時間を要する場合であっても、前記内蔵映像出力部からの映像情報がモニタ画面に画面表示され、ユーザに対して機器間認証動作中であることを確実に通報することができる。
【００１５】
第４の技術手段は、前記第２又は第３の技術手段に記載の映像表示装置において、前記ＩＤコードを照合する動作を行なう前記照合手段が、前記ＳＴＢ側と前記モニタ側との双方に又はいずれか一方に備えられていて、前記ＳＴＢと前記モニタとが起動された際に、前記ＩＤコードを相手側の機器に送信することにより、双方又はいずれか一方の前記照合手段にて互いの機器の前記ＩＤコードを照合する映像表示装置とすることを特徴とするものである。
【００１６】
第５の技術手段は、前記第４の技術手段に記載の映像表示装置において、前記ＩＤコードを照合して機器間認証結果が得られた際に、相手側の機器に対して、前記機器間認証結果を通知する映像表示装置とすることを特徴とするものである。
【００１７】
而して、前記第４又は第５の技術手段によれば、前記ＳＴＢ及び前記モニタの双方において互いの機器間認証結果を認識することができ、それぞれが機器間認識結果に応じた適切な動作を行なうことができる。
【００１８】
第６の技術手段は、前記第４又は第５の技術手段に記載の映像表示装置において、前記モニタが、当該モニタに備えられている前記照合手段又は相手側の前記ＳＴＢから得られた機器間認証結果として、互いの機器間の認証が得られなかった場合には、前記内蔵映像出力部からの映像情報を、認証不良を示す映像情報としてモニタ画面に画面表示する映像表示装置とすることを特徴とするものである。
【００１９】
而して、前記第６の技術手段によれば、機器間認証結果が認証不良となった場合、前記内蔵映像出力部から認証不良を示す有意な映像情報を表示させて、ユーザに通報することができる。
【００２０】
第７の技術手段は、前記第１乃至第６の技術手段のいずれかに記載の映像表示装置において、前記モニタが起動されてから予め定められた一定の経過時間が経過するまでの間に、前記ＳＴＢから当該ＳＴＢが起動された旨を示す起動信号が受信されない場合には、前記内蔵映像出力部からの映像情報を、前記ＳＴＢが起動されていないことを示す映像情報としてモニタ画面に画面表示する映像表示装置とすることを特徴とするものである。
【００２１】
而して、前記モニタが起動後、予め設定されている一定の経過時間が経過しても、前記ＳＴＢが起動状態に移行しない場合は、前記内蔵映像出力部からその旨を示す映像情報をモニタ画面に画面表示させて、ユーザに通報することができる。
【００２２】
第８の技術手段は、前記第１乃至第７の技術手段のいずれかに記載の映像表示装置において、ユーザが、前記内蔵映像出力部に対してモニタ画面に画面表示するための映像情報を登録指示したり、前記内蔵映像出力部に登録されている複数の映像情報の中からモニタ画面に画面表示すべき映像情報を選択して表示指示することができる表示指示手段を前記モニタ側に備えている映像表示装置とすることを特徴とするものである。
【００２３】
而して、前記第８の技術手段によれば、ユーザは、前記モニタが動作可能な状態にある限り、前記内蔵映像出力部に対して、任意の映像情報の登録を指示したり、モニタ画面に画面表示すべき映像情報を選択して指示することができる。
【００２４】
第９の技術手段は、前記第１乃至第８の技術手段のいずれかに記載の映像表示装置において、前記内蔵映像出力部が、現在時刻や日付やカレンダを計時する時計機能を有するタイマを備え、ユーザから直近に入力されていた表示指示に基づいて、前記内蔵映像出力部からモニタ画面に画面表示する映像情報として、現在時刻及び／又は日付情報及び／又はカレンダを画面表示させることができる映像表示装置とすることを特徴とするものである。
【００２５】
而して、前記モニタの電源がオンにされて起動されている状態にあっても、前記ＳＴＢからの映像情報が受信されない場合には、前記内蔵映像出力部から、カレンダや現在時刻や日付を示す各種の時計情報を、モニタ画面に画面表示させることができる。
【００２６】
第１０の技術手段は、前記第１乃至第９の技術手段のいずれかに記載の映像表示装置において、前記内蔵映像出力部が、複数の映像情報を保存することができる映像情報保存メモリを備え、ユーザから直近に入力されていた表示指示に基づいて、前記内蔵映像出力部からモニタ画面に画面表示する映像情報として、前記映像情報保存メモリに保存されているいずれかの映像情報を画面表示させることができる映像表示装置とすることを特徴とするものである。
【００２７】
而して、前記第１０の技術手段によれば、前記モニタの電源がオンにされて起動されていても、前記ＳＴＢからの映像情報が受信されない場合には、ユーザにより直近に表示指示されている映像情報を選択してモニタ画面に画面表示させることができる。
【００２８】
第１１の技術手段は、前記第１０の技術手段に記載の映像表示装置において、前記内蔵映像出力部が、映像情報を蓄積したメモリカードを装着することができるカードスロット及び／又は外部の情報処理装置から映像情報を受信することができる接続用スロットを備え、ユーザからの登録指示に基づいて、前記カードスロット及び／又は前記接続用スロットから読み込まれる映像情報を、前記映像情報保存メモリに保存することができる映像表示装置とすることを特徴とするものである。
【００２９】
而して、前記第１１の技術手段によれば、前記ＳＴＢが使用できない状態にあったとしても、カードスロットに装着したメモリカードに蓄積されている映像情報や、接続用スロット（例えば、ＰＣカードスロットやＵＳＢなどの接続端子）に接続されているＰＣやゲーム機器などの情報処理装置からの映像情報を前記内蔵映像出力部に登録することができる。
【００３０】
第１２の技術手段は、前記第１乃至第１１の技術手段のいずれかに記載の映像表示装置において、前記内蔵映像出力部が、モニタ画面に画面表示するための情報を画像合成することができるＯＳＤ（Ｏｎ  Ｓｃｒｅｅｎ  Ｄｉｓｐｌａｙ）処理手段を備え、ユーザから直近に入力されていた表示指示に基づいて、ユーザにより選択された複数の情報を前記ＯＳＤ処理手段により画像合成してモニタ画面に画面表示する映像情報を生成して、モニタ画面に画面表示することができる映像表示装置とすることを特徴とするものである。
【００３１】
而して、前記第１２の技術手段によれば、前記内蔵映像出力部は、例えば、任意の文字列や映像情報や時計情報などを、ユーザからの要求に応じて任意に組み合わせて画面表示させることができる。
【００３２】
【発明の実施の形態】
以下、本発明に係る映像表示装置に関する実施の形態について、図面を参照しながら説明する。
図１は、本発明に係る映像表示装置における一実施例として、モニタとＳＴＢとを分離して配置するセパレートタイプの映像表示装置の概念を示す概念図である。
【００３３】
図１に示すごとく、本発明に係る映像表示装置は、映像を映し出す液晶モニタ１と外部映像入力機器６からの映像情報を受信選択するセットトップボックスＳＴＢ２とに分割して構成されている。液晶モニタ１とＳＴＢ２との間は、高周波のデジタル伝送映像情報を伝送することができるＤＶＩケーブル即ち高周波デジタル伝送用ケーブル３によって接続されている。また、ＳＴＢ２に対して外部から映像情報を供給する外部映像入力機器６とＳＴＢ２との間は、映像情報をアナログあるいはデジタル信号形式により伝送する接続ケーブル７（同軸ケーブルや光ケーブルやＬＡＮケーブルなどからなる接続ケーブル）によって接続されている。
液晶モニタ１及びＳＴＢ２には、それぞれ、モニタ電源スイッチ４及びＳＴＢ電源スイッチ５が備えられており、モニタ電源スイッチ４は、液晶モニタ１の電源をオン／オフするための電源スイッチであり、ＳＴＢ電源スイッチ５は、ＳＴＢ２の電源をオン／オフするための電源スイッチである。
【００３４】
ここで、図１においては、映像を表示するモニタ用として、液晶モニタ１を用いる場合を例示して説明することとしているが、本発明は、かかる場合のみに限定されるものではなく、ＰＤＰや有機ＥＬや、あるいは、場合によっては、ブラウン管（ＣＲＴ）などのモニタ装置を用いることも可能である。また、液晶モニタ１とＳＴＢ２との間を接続する高周波デジタル伝送用ケーブル３は中継器を介して中継接続する構成としても構わない。
【００３５】
また、液晶モニタ１のモニタ電源スイッチ４をオンに設定することにより、液晶モニタ１内の各回路部に電源が供給されて、液晶モニタ１を起動させて稼動中の状態に移行させることも可能であるし、あるいは、ＳＴＢ２との間の情報を授受したり、ユーザからの入力情報を受け取るための回路部のみを起動することとし、大きな電力消費を伴うモニタ表示関連の回路部の動作を抑止する待機中の状態に一旦設定しておくことも可能である。
【００３６】
液晶モニタ１が待機中の状態に設定されている場合、ＳＴＢ２のＳＴＢ電源スイッチ５をオンに設定することにより、ＳＴＢ２が起動された際に、液晶モニタ１の電源装置の電源も待機状態が解除されて、液晶モニタ１内のモニタ表示関連の回路部にも電源が供給されて、液晶モニタ１もＳＴＢ２側と同時に起動されるように構成することも可能である。
【００３７】
更に、映像情報をＳＴＢ２に供給する外部映像入力機器６は、ＵＨＦやＶＨＦの地上波放送信号を受信する地上波アンテナあるいはＢＳ衛星やＣＳ衛星からの衛星放送信号を受信するパラボラアンテナであっても良いし、ＤＶＤやＣＤあるいはＶＴＲなどの映像記録媒体からなる映像機器（ＡＶ機器）であっても良いし、あるいは、各種ゲーム機器やＰＣなどの情報処理装置であっても良く、これらの複数個の外部映像入力機器６を、それぞれの接続ケーブル７を用いてＳＴＢ２に並列接続することができる。
【００３８】
また、高周波デジタル伝送用ケーブル３上を伝送するデジタル伝送信号形式としては、ＪＥＩＤＡ（日本電子工業振興協会）にて「デジタルモニタインタフェース標準」として制定されているＴＭＤＳ（Ｔｒａｎｓｉｔｉｏｎ  Ｍｉｎｉｍｉｚｅｄ    Ｄｉｆｆｅｒｅｎｔｉａｌ    Ｓｉｇｎａｌｉｎｇ）規格やＬＶＤＳ（Ｌｏｗ    Ｖｏｌｔａｇｅ  Ｄｉｆｆｅｒｅｎｔｉａｌ  Ｓｉｇｎａｌｉｎｇ）規格やＬＤＩ（ＬＶＤＳ  Ｄｉｓｐｌａｙ    Ｉｎｔｅｒｆａｃｅ）規格や、あるいは、ＧＶＩＦ（Ｇｉｇａｂｉｔ    Ｖｉｄｅｏ  Ｉｎｔｅｒｆａｃｅ）規格などを含め、如何なるデジタル伝送信号形式のものであっても構わない。
【００３９】
図２は、図１に示す映像表示装置内のブロック構成の一例を示すブロック構成図である。
図２において、１乃至７は、それぞれ、図１に示す液晶モニタ、ＳＴＢ、高周波デジタル伝送用ケーブル、モニタ電源スイッチ、ＳＴＢ電源スイッチ、外部映像入力機器、接続ケーブルを示している。
液晶モニタ１は、モニタ制御部１０、モニタ出力回路１１、セレクタ１２、受信側ＩＣ１３、受信側ＩＣ用メモリ１４、モニタ側照合回路１５、表示用入力部１６、モニタ電源装置１７、及び、内蔵映像出力部１８を備えている。一方、高周波デジタル伝送用ケーブル３を介して液晶モニタ１と接続されているＳＴＢ２側は、ＳＴＢ制御部２０、ＡＶ入力部２１、映像処理回路２２、送信側ＩＣ２３、送信側ＩＣ用メモリ２４、ＳＴＢ側照合回路２５、受光部２６、ＳＴＢ電源装置２７、及び、リモコン２６ａを備えている。
【００４０】
なお、受信側ＩＣ用メモリ１４及び送信側ＩＣ用メモリ２４、更に、モニタ側照合回路１５及びＳＴＢ側照合回路２５は、それぞれ、受信側ＩＣ１３及び送信側ＩＣ２３内に組み込まれている形態のものであっても勿論構わない。
【００４１】
ＳＴＢ２側において、ＡＶ入力部２１は、複数個の接続ケーブル６を介してそれぞれ接続されている複数個の外部映像入力機器６からの映像情報を受信して、リモコン２６ａによって選択指示されている映像情報を選択してＳＴＢ２に取り込むための入力部であり、映像処理回路２２は、ＡＶ入力部２１から入力されてきた映像情報をデジタル化する処理部である。
【００４２】
また、送信側ＩＣ２３は、映像処理回路２２によりデジタル化された映像情報を高周波デジタル伝送用ケーブル３に伝送するためのデジタル伝送信号形式に変換して液晶モニタ１側に高速伝送する処理を行なうものである。送信側ＩＣ用メモリ２４は、高周波デジタル伝送用ケーブル３を伝送するデジタル伝送映像情報が他の映像受信機器に盗聴されることを防止するために、デジタル伝送映像情報の伝送に先立って、ＳＴＢ２の起動直後に、デジタル伝送映像情報の送信先の液晶モニタ１との間で機器間認証動作を行なうために用いられるＩＤコード２４ａ（即ち、機器間認証用のライセンスキー）を記憶している不揮発性メモリ（ＥＥＰＲＯＭ：Ｅｌｅｃｔｒｉｃａｌｌｙ  Ｅｒａｓａｂｌｅ  ａｎｄ    Ｐｒｏｇｒａｍｍａｂｌｅ    ＲＯＭ）である。
【００４３】
また、デジタル伝送映像情報の伝送に先立つ機器間認証動作のみならず、高周波デジタル伝送用ケーブル３を伝送するデジタル伝送映像情報そのものに対してスクランブルをかける必要がある場合に備えて、かかるスクランブルをかけるための暗号化データ２４ｂも送信側ＩＣ用メモリ２４に記憶することができる。
【００４４】
ＳＴＢ側照合回路２５は、ＳＴＢ２の起動直後に、液晶モニタ１側から高周波デジタル伝送用ケーブル３を介して送信されてくる機器間認証用の液晶モニタ１側のＩＤコード１４ａと送信側ＩＣ用メモリ２４に記憶されているＩＤコード２４ａとの比較照合を行なう照合回路であり、かかる比較照合結果として、デジタル伝送映像情報を送信することが認められている液晶モニタ１であるか否かを示す機器間認証結果が出力される。
ここで、液晶モニタ１側のＩＤコード１４ａと送信側ＩＣ用メモリ２４に記憶されているＩＤコード２４ａとの関係としては、一致している場合のみでなく、例えば、予め設定登録されている特定の関数関係にあるなど、予め定められた一定の関係が成立している場合であれば、機器間の認証が得られたものと判定された機器間認証結果を出力する。
【００４５】
なお、かかるＩＤコードの照合動作としては、コピープロテクトを厳密に実施するために、前述したごとく、不当コピー動作を防止するレベルを示す機器間認証レベルに応じて、複数に分割されたＩＤコードを、複数段階に亘って逐次照合動作を行なうこととしても良く、前記機器間認証レベルを予め指定しておくことにより、何段階に亘るＩＤコードの照合動作を実行させるかを特定することが可能である。而して、機器間認証システムや機器間認証レベル更には当該ＳＴＢ２と液晶モニタ１との間の中継段数などにより、場合によっては、機器間認証結果が得られるまで数秒乃至十数秒の認証動作時間を必要とする場合もありうる。
【００４６】
また、受光部２６は、ユーザが遠隔操作を行なうリモコン２６ａからの無線信号（赤外線信号など）を受信するものであり、ユーザからの外部映像入力機器６の選択指示や、高周波デジタル伝送用ケーブル３上を伝送するデジタル映像情報をスクランブルするか否かのユーザからの暗号化指示などの指示情報を受け取って、ＳＴＢ制御部２０に通知するものである。また、リモコン２６ａからの指示情報の一つとして、ＳＴＢ電源スイッチ５をオン／オフさせる指示信号を含ませることもできるし、場合によっては、モニタ１側に備えられている表示用入力部１６と連携して、モニタ１側の内蔵映像出力部１８への映像情報・文字列などの登録指示やモニタ画面へ画面表示すべき内蔵映像出力部１８の映像情報・文字列の表示指示を行なうことも可能である。
【００４７】
ＳＴＢ電源装置２７は、ＳＴＢ２の各回路部への電源を供給する電源装置であり、ＳＴＢ電源スイッチ５のオン／オフ操作により電源供給がオン／オフされる。
【００４８】
ＳＴＢ制御部２０は、例えば、マイコンによって構成されており、ＳＴＢ２内の全体を制御するものである。ＳＴＢ制御部２０は、例えば、電源が供給された直後に送信側ＩＣ２３を制御して、液晶モニタ１側に起動信号やＩＤコード２４ａの送信を指示したり、ユーザからのリモコン２６ａの指示信号に基づいて、ＡＶ制御部２１を制御して、外部映像入力機器６から所望する映像情報を選択して受信したり、あるいは、液晶モニタ１側のＩＤコード１４ａとＳＴＢ２側のＩＤコード２４ａとの照合結果である機器間認証結果に基づいて、映像処理回路２２や送信側ＩＣ２３を制御して、映像情報のデジタル化処理やデジタル映像情報の液晶モニタ１側への伝送を行なったりする動作を制御する。
【００４９】
一方、液晶モニタ１側において、受信側ＩＣ１３は、高周波デジタル伝送用ケーブル３を介してＳＴＢ２側から高速伝送されてきたデジタル伝送信号形式からなるデジタル伝送映像情報を受信して、デジタル伝送信号形式から内部処理が可能なデジタル映像情報に変換するものである。
【００５０】
また、受信側ＩＣ用メモリ１４は、高周波デジタル伝送用ケーブル３上を伝送されるデジタル伝送映像情報が他の映像受信機器に盗聴されることを防止するために、デジタル伝送映像情報の受信動作に先立って、ＳＴＢ２との間で機器間認証動作を行なうために用いられるＩＤコード１４ａを記憶している不揮発性メモリ（ＥＥＰＲＯＭ）である。更には、高周波デジタル伝送用ケーブル３を介して伝送されてくるデジタル伝送映像情報に対してスクランブルがかけられている場合に備えて、スクランブルデジタル映像情報をデスクランブルするために必要とする復号化データ１４ｂも記憶することができる。
【００５１】
モニタ側照合回路１５は、ＳＴＢ２側からのＩＤコード２４ａを受信した際に、受信側ＩＣ用メモリ１４に記憶されているＩＤコード１４ａとの比較照合を行なう照合回路であり、かかる比較照合結果として、デジタル映像情報の送信が認められているＳＴＢ２であるか否かを示す機器間認証結果が出力される。
ここで、ＳＴＢ２側のＩＤコード２４ａと液晶モニタ１側のＩＤコード１４ａとの関係としては、前述のＳＴＢ２側における場合と全く同様に、一致している場合のみでなく、例えば、予め設定登録されている特定の関数関係にあるなど、予め定められた一定の関係が成立している場合であれば、機器間の認証が得られたものと判定された機器間認証結果を出力する。
【００５２】
また、かかるＩＤコードの照合動作は、前述のＳＴＢ２側の場合と全く同様に、場合によっては、かかる機器間認証結果が得られるまで、数秒乃至十数秒の認証動作時間を必要とする場合もありうる。
なお、ＩＤコードの比較照合を行なう照合回路として、ＳＴＢ２と液晶モニタ１との双方に配置している場合について説明したが、いずれか一方にのみ配置して、機器間認証結果を相手側に通知するように構成することとしても良いし、あるいは、双方に配置している場合であっても、互いの照合回路における機器間認証結果を交換し合うように構成しても良い。
【００５３】
内蔵映像出力部１８は、液晶モニタ１側単独でもモニタ画面に表示させる映像情報を出力させることができるものであり、現在時刻や日付を計数したり、カレンダを更新したりすることができるタイマ１８ａ、モニタ画面に画面表示させるための各種の文字列やデジタル映像情報を登録して保存する映像情報保存メモリ１８ｂ、デジカメなどにより撮像された映像情報を読み込むことができるカードスロット１８ｄやＰＣ・ゲーム機器などの情報処理装置を接続して各種の映像情報を読み込むことができる接続用スロット１８ｅを備え、更には、タイマ１８ａの時計情報や映像情報保存メモリ１８ｂなどからのデジタル映像情報や文字情報を任意に画像合成してモニタ出力回路１１を介して液晶モニタ画面に表示させるＯＳＤ処理部１８ｃが備えられている。
【００５４】
また、表示用入力部１６は、ユーザが、液晶モニタ１の内蔵映像出力部１８に対する登録指示や内蔵映像出力部１８からモニタ出力回路１１への表示指示を行なったり、液晶モニタ１の動作に関する指示を行なうユーザインタフェースを提供するものであり、入力された指示情報は解読されてモニタ制御部１０に入力され、液晶モニタ１内の各回路部の制御に用いられる。
【００５５】
また、セレクタ１２は、モニタ制御部１０からの指示に基づいて、受信側ＩＣ１３からのデジタル映像情報と内蔵映像出力部１８からのデジタル映像情報とのいずれかを切り替えて、モニタ出力回路１１に出力する切り替え回路であり、モニタ出力回路１１は、セレクタ１２を介して入力されてきたデジタル映像情報を液晶モニタ画面に画面表示することができる表示駆動信号に変換して出力する回路である。
【００５６】
モニタ電源装置１７は、液晶モニタ１の各回路部への電源を供給する電源装置であり、モニタ電源スイッチ４のオン／オフ操作により電源供給がオン／オフされる。
【００５７】
モニタ制御部１０は、例えば、マイコンによって構成されており、液晶モニタ１内の全体を制御するものである。モニタ制御部１０は、例えば、モニタ電源装置１７からの電源が供給されて、ＳＴＢ２側との情報授受が可能な状態に至った際には、受信側ＩＣ１３を制御して、受信側ＩＣ用メモリ１４に記憶されているＩＤコード１４ａの送信を指示したり、ＳＴＢ２側から送信されてきたＳＴＢ２側のＩＤコード２４ａと受信側ＩＣ用メモリ１４に記憶されているＩＤコード１４ａとのモニタ側照合回路１５による照合動作を行なわせたり、内蔵映像出力部１８を制御して、モニタ画像に画面表示すべき文字列や映像情報を選択して出力させるように制御する。
【００５８】
更に、モニタ制御部１０は、モニタ側照合回路１５の照合結果である機器間認証結果に基づいて、受信側ＩＣ１３やセレクタ１２やモニタ出力回路１１を制御して、受信側ＩＣ１３においては、受信したデジタル伝送映像情報に対する内部処理可能なデジタル映像情報への復元処理や復元されたデジタル映像情報のデスクランブル処理を行なわせたり、セレクタ１２においては、受信側ＩＣ１３と内蔵映像出力部１８との間でモニタ出力回路１１へ出力する映像情報の切り替え処理を行なわせたり、モニタ出力回路１１においては、入力されてきた映像情報をモニタ画面に画面表示させたりする動作を制御する。
【００５９】
次に、図２に示すＳＴＢ２及び液晶モニタ１の動作の概略についてその一例を説明する。なお、以下の説明においては、説明を簡単にするために、ＳＴＢ２と液晶モニタ１との間で伝送されるデジタル映像情報に対してはスクランブ処理が施されていない場合を例にとって説明する。
まず、液晶モニタ１のモニタ電源スイッチ４をオンに設定した後、ＳＴＢ２側のＳＴＢ電源スイッチ５をオンに設定して、ＳＴＢ２と液晶モニタ１との各回路部に電源供給を開始させて、ＳＴＢ２と液晶モニタ１とを起動させる。ＳＴＢ２と液晶モニタ１とを起動させると、それぞれ、ＳＴＢ制御部２０とモニタ制御部１０との制御に基づいて、デジタルコピープロテクトに関する機器間認証動作を開始する。
【００６０】
即ち、デジタル映像情報の伝送動作に先立って、送信側ＩＣ用メモリ２４及び受信側ＩＣ用メモリ１４にそれぞれ格納されているＳＴＢ２側のＩＤコード２４ａ及び液晶モニタ１側のＩＤコード１４ａを相互に交換し合い、それぞれＳＴＢ側照合回路２５及びモニタ側照合回路１５において、ＩＤコードの照合動作を行ない、デジタル伝送映像情報の送受信が認められるか否かを確認する機器間の認証動作を行なう。
【００６１】
ＳＴＢ側照合回路２５及びモニタ側照合回路１５におけるＩＤコードの機器間認証動作の結果、互いの機器間が認証された場合には、ＳＴＢ２側のＳＴＢ電源装置２７の電源が直近にオフにされた際に選択されていた外部映像入力機器６からの映像情報が、ＳＴＢ２のＡＶ入力部２１を介して、映像処理回路２２に入力されてデジタル処理が施された後、送信側ＩＣ２３に入力される。送信側ＩＣ２３において、入力されてきたデジタル映像情報が、高速伝送用のデジタル伝送信号形式に変換されて、高周波デジタル伝送用ケーブル３を介して、液晶モニタ２側に送信される。なお、ＳＴＢ２側のＳＴＢ電源装置２７の電源が直近にオフにされた際の外部映像入力機器６からの入力映像情報を変更したい場合には、当然のことながら、リモコン２６ａを操作して、新たに所望の外部映像入力機器６を選択し直すことができる。
【００６２】
液晶モニタ１側においては、ＳＴＢ側照合回路２５及びモニタ側照合回路１５におけるＩＤコードの機器間認証動作の結果、互いの機器間が認証された状態にある場合には、高周波デジタル伝送用ケーブル３を介してデジタル伝送映像情報を受信し、受信側ＩＣ１３において内部処理が可能なデジタル映像情報に復元される。
ここで、セレクタ１２は、ＳＴＢ２と液晶モニタ１との機器間認証が得られた場合には、モニタ制御部１０からの指示に基づいて、内蔵映像出力部１８からではなく、受信側ＩＣ１３からのデジタル映像情報を、モニタ出力回路１１に出力させる状態に自動的に設定されており、モニタ出力回路１１において、受信側ＩＣ１３から入力されてきたデジタル映像情報を液晶モニタ画面へ画面表示するための表示駆動信号に変換されて映像として映し出される。
【００６３】
しかしながら、ＩＤコードによる機器間の認証動作は、瞬時に終了するものではなく、前述したごとく、一般に、数秒から十数秒程度の認証動作時間を必要としているものであり、外部映像入力装置６からの映像情報が直ちには画面表示されず、ＳＴＢ２及び液晶モニタ１が起動状態にされてから数秒から十数秒の間は、液晶モニタ１側の液晶モニタ画面上には何ら映像が映し出されない状態が継続してしまう。
【００６４】
従って、認証結果が得られるまでの長い時間に亘って、液晶モニタ１の液晶モニタ画面は無表示状態が継続することとなり、ユーザは、モニタ電源スイッチ４やＳＴＢ電源スイッチ５を投入した結果として、液晶モニタ１とＳＴＢ２とが起動された状態にされたのか、ＩＤコードによる機器間の認証動作が継続している状態にあるのか、ＩＤコードによる認証に失敗している状態にあるのか、何らかの故障が発生しているのか、いかなる状態にあるのか全くわからない不安定な状態に置かれてしまう。
【００６５】
かかる不安定な状態の発生を回避するために、本発明に係る映像表示装置においては、前記した図２に示すごとく、液晶モニタ１側には内蔵映像出力部１８が備えられており、液晶モニタ１が起動されている限り、液晶モニタ１単独でも、タイマ１８ａの時刻情報や映像情報保存メモリ１８ｂの映像情報やカードスロット１８ｄあるいは接続用スロット１８ｅからの各種情報を画面表示させることを可能としている。
【００６６】
ここで、内蔵映像出力部１８は、電源が投入されて液晶モニタ１が起動された際に、直ちに起動されるものである。
内蔵映像出力部１８が起動された場合、表示用入力部１６からユーザが直近に入力していた表示指示を識別したモニタ制御部１０からの指示に基づいて、前回モニタ電源スイッチ４がオフの状態に移行した際に選択されていた内蔵映像出力部１８からのデジタル映像情報がセレクタ１２に出力される。また、液晶モニタ１が起動された際には、モニタ制御部１０からの指示により、セレクタ１２は、受信側ＩＣ１３ではなく、内蔵映像出力部１８からのデジタル映像情報をモニタ出力回路１１に出力するように自動的に切り替えられた状態に設定される。而して、液晶モニタ１が起動された直後から、ＩＤコードによる機器間認証動作中の状態であっても、内蔵映像出力部１８からの映像情報が、モニタ画面に画面表示されていることとなる。
【００６７】
一方、内蔵映像出力部１８の起動停止は、前述のＩＤコードによる機器間の認証動作結果として、機器間の認証が得られた時点で行なわれる。更に、機器間の認証が得られた時点では、自動的に、モニタ制御部１０からの指示により、セレクタ１２は、内蔵映像出力部１８ではなく、受信側ＩＣ１３からのデジタル映像情報をモニタ出力回路１１に出力するように切り替えられた状態に設定されて、ＳＴＢ２側からの映像情報がモニタ画面に画面表示される。
【００６８】
また、前述のＩＤコードによる機器間の認証動作結果として、機器間の認証が得られなかった場合、内蔵映像出力部１８の起動は継続されたままの状態となるが、モニタ制御部１０からの指示により、認証が得られない旨を示す映像情報として予め設定されているデジタル映像情報に切り替えられてセレクタ１２に出力される。更に、機器間の認証が得られなかった場合には、モニタ制御部１０からの指示により、セレクタ１２は、内蔵映像出力部１８からのデジタル映像情報をモニタ出力回路１１に出力する状態が継続するように設定される。
【００６９】
ここに、映像情報保存メモリ１８ｂには、前述のごとく、表示用入力部１６からのユーザの登録指示を受けたモニタ制御部１０からの指示に基づいて、表示用入力部１６からの入力文字列そのものを、あるいは、カードスロット１８ｄに装着されたメモリカードや接続用スロット１８ｅに接続された情報処理装置からのデジタル映像情報を、あるいは、外部映像入力機器６からのデジタル映像情報を、予め又は必要に応じて、随時登録して保存させている。
【００７０】
また、ＯＳＤ処理部１８ｃからセレクタ１２に出力されて液晶モニタ画面に画面表示されるデジタル映像情報は、前述のごとく、タイマ１８ａの時計情報や映像情報保存メモリ１８ｂに蓄積保存されている映像情報やカードスロット１８ｄ・接続用スロット１８ｅからの映像情報の中から、表示用入力部１６から直近に入力されていたユーザの表示指示に応じて、指定されていた組み合わせの映像情報が選択されて画像合成されたものである。
【００７１】
以上のごとく、液晶モニタ１が起動された後、数秒乃至十数秒に亘る長時間の機器間認証動作中の状態にあったとしても、液晶モニタ１が起動されれば直ちに内蔵映像出力部１８からのデジタル映像情報が液晶モニタ画面上に画面表示されることとなり、また、機器間認証動作結果、認証が得られなかった場合においても、内蔵映像出力部１８からのデジタル映像情報が、引き続き、液晶モニタ画面上に画面表示されることとなり、如何なる場合においても、液晶モニタ１が起動されている状態にある限り、何らかのデジタル映像情報が、液晶モニタ画面上に必ず表示されることとなる。
【００７２】
なお、前述の実施例においては、機器間認証動作結果として、ＳＴＢ２と液晶モニタ１とが互いに認証された場合には、自動的に、受信側ＩＣ１３からのデジタル映像情報に切り替えて、該デジタル映像情報がモニタ出力回路１１に出力されて、液晶モニタ画面上に画面表示されることとして説明したが、本発明においては、認証された場合であっても、表示用入力部１６からのユーザの指示により、受信側ＩＣ１３から受信したデジタル映像情報に切り替える旨の指示がなされた場合に、初めて、受信側ＩＣ１３からのデジタル映像情報に切り替えて、モニタ出力回路１１に出力するようにすることも可能である。
【００７３】
次に、内蔵映像出力部１８のＯＳＤ処理部１８ｃにより画像合成して生成されたデジタル映像情報を液晶モニタ画面上に画面表示する表示画面の一例を、図３乃至図５を用いて説明する。
ここに、図３は、機器間認証動作中であることを示す表示画面の一例を示す表示画面図であり、図４は、機器間認証結果として認証が得られなかった旨を示す表示画面の一例を示す表示画面図であり、図５は、ＳＴＢ２が起動状態とされていない場合の表示画面の一例を示す表示画面図である。
【００７４】
なお、図３乃至図５に示す表示画面例は一例を示すものであり、必ずしも、かかる画面のみに限るものではない。また、図３の「認証動作中」、図４の「認証不良」、図５の「ＳＴＢ未起動」などの各文字列については、図２に示す表示用入力部１６からユーザが任意の文字列を映像情報保存メモリ１８ｂに設定登録することにより表示されるものであり、前記の各文字列に限るものではなく、また、特殊記号を用いて表示することとしても良いし、場合によっては、文字列の表示そのものを行なわないように設定することも可能である。
【００７５】
まず、図３の機器間認証動作中の表示画面例は、液晶モニタ１が起動された際に、直ちに、内蔵映像出力部１８が起動されて、ＯＳＤ処理部１８ｃからの制御に基づいて、予め、表示用入力部１６を介してユーザから直近に表示指示されている映像情報と認識動作中を示す文字列とを映像情報保存メモリ１８ｂから読み出し、あるいは、タイマ１８ａの時計情報を読み出して、ＯＳＤ表示画像として画像合成して、セレクタ１２を介してモニタ出力回路１１から液晶モニタ画面に画面表示させるものである。
【００７６】
図３（Ａ）は、映像情報保存メモリ１８ｂ内から機器間認証動作中であることを示す「認証動作中」の文字列とタイマ１８ａの現在時刻とが読み出されて、「現在は１４時２０分１５秒です」の現在時刻を示す文字列がＯＳＤ処理部１８ｃの制御により生成される場合を示している。ここで、画面表示される現在時刻は、適当な周期で繰り返して起動されることにより、逐次更新されていく。
【００７７】
図３（Ｂ）は、図３（Ａ）の現在時刻の代わりに、タイマ１８ａから本日の年月日を読み出すことにより、「本日は平成１４年８月１０日です」の年月日を示す文字列が作成されて画面表示される例を示している。ここで、本日の日付のみでなく、タイマ１８ａに保持されているカレンダを表示させることとしても構わない。
【００７８】
また、図３（Ｃ）は、機器間認証動作の残り時間（又は経過時間）を時間バー形式で表示する一例を示すものであり、タイマ１８ａからの時計情報に基づいて、機器間認証動作の残り予定時間を算出して、残り時間を示す「残り時間バー」と共に、「残り時間２秒」などの文字列を合成して、画面表示される例を示している。ここで、画面表示される残り時間は、適当な周期で繰り返して起動されることにより、逐次更新されていく。
【００７９】
図３（Ｄ）は、予め、映像情報保存メモリ１８ｂに登録されているか、あるいは、カードスロット１８ｄに装着されたメモリカードや接続用スロット１８ｅに接続されている情報処理装置（ＰＣやゲーム機器など）から読み込まれたスケジュール表を「私のスケジュール」として一覧表示し、機器間認証動作中の時間帯を利用して表示させる一例を示すものである。
なお、スケジュールを一覧表示して確認中の間に、機器間認証動作結果が得られて、「認証動作中」画面が他の画面に切り替えられてしまい、スケジュール一覧が画面表示されなくなることを防止するために、ユーザからの表示用入力部１６を介した指示に基づいて、スケジュール一覧をサブ画面として表示することができる２画面表示に切り替えさせることも可能である。
【００８０】
図３（Ｅ）は、予め映像情報保存メモリ１８ｂに保存されているカラーパターン画像、例えば、液晶モニタ画面の画質調整用に用いられるカラーパターン画像を機器間認証動作中の時間帯を利用して表示させる一例を示すものであり、また、図３（Ｆ）は、映像情報保存メモリ１８ｂに記録されている映像情報あるいはカードスロット１８ｄ・接続用スロット１８ｅから読み込まれた映像情報を機器間認証動作中の時間帯を利用して表示させる一例を示すものである。
【００８１】
次に、図４の機器間認証結果として認証が得られなかった場合の表示画面例について説明する。液晶モニタ１が起動されて、機器間認証動作が起動された際に同時に起動されていた内蔵映像出力部１８は、機器間認証結果として、認証が得られなかった旨の通知を受け取った場合、モニタ制御部１０からの指示を受け取ったＯＳＤ処理部１８ｃの制御に基づいて、機器間認証動作中として今まで表示出力していた「認証動作中」のデジタル映像情報の出力を停止させて、その代わりに、機器間認証が得られなかったことを示す図４のごとき「認証不良」用の画面に切り替えるように制御する。
【００８２】
図４の画面表示例においては、図４（Ｃ）の画面表示例を除いて、図３の「認証動作中」の文字列が、認証が得られなかった旨を示す「認証不良」の文字列に変更されている以外は全く同様である。
ここで、図４（Ｃ）は、機器間認証動作結果として認証が得られなかった原因を表示する画面の一例を示しているものであり、ＯＳＤ処理部１８ｃは、モニタ側照合回路１５の照合に用いられたＳＴＢ２側のＩＤコード２４ａと液晶モニタ１側のＩＤコード１４ａとを、それぞれ、モニタ側照合回路１５から受け取って、機器間認証不良の原因として表示すべきデジタル映像情報を画像合成して、液晶モニタ画面に画面表示させている例を示している。但し、認証が得られなかった原因を表示する画面としては、ＩＤコードそれぞれの表示画面のみに限るものではなく、所定の機器間認証動作時間を経過しても認証結果が出力されない場合や、ＳＴＢ２側に設置されているＳＴＢ側照合回路２５から認証が得られない旨の信号が送信されてきた場合などを含め、認証が得られなかった原因を示す認証不良コードを表示させることとしても構わない。
【００８３】
次に、ＳＴＢ起動状態ではない旨を示す図５の表示画面例について説明する。
液晶モニタ１が起動されてから、予め定められた一定の経過時間が経過するまでの間にＳＴＢ２側から起動信号が受信されない場合には、液晶モニタ１のみが起動されている状態にあるものとして、液晶モニタ１の起動と同時に起動されて機器間認証動作中を示す画面表示をしていた内蔵映像出力部１８は、ＳＴＢ２が起動されていない旨を示す「ＳＴＢ未起動」の画面表示に切り替えるように制御される。
【００８４】
図５の画面表示例においては、タイマ情報やスケジュール情報を画面表示していない場合を一例として示しているが、前述した図３や図４と同様に、タイマ情報やスケジュール情報を選択して画面表示させるようにしても勿論構わない。
図５（Ａ）は、映像情報保存メモリ１８ｂに記録されている映像情報を表示させる一例を示すものであり、また、図５（Ｂ）は、例えば、ＰＣやゲーム機器との接続を行なうことができる接続用スロット１８ｅを用いて、ＰＣやゲーム機器と相互接続して、ＰＣやゲーム機器からの映像情報を連続的に取り込んで、動画像として画面出力する場合を示している。
【００８５】
【発明の効果】
以上に説明したごとく、本発明に係る映像表示装置によれば、次に示すような効果が得られる。
即ち、モニタが起動されている状態にある限り、たとえ、ＳＴＢからの映像情報が受信できない状態にあったとしても、モニタ側に備えられている内蔵映像出力部からの映像情報をモニタ画面に画面表示することができ、全く画面表示されないという状態を回避することができる。而して、ＳＴＢとモニタとの間における機器間認証動作として、数秒乃至十数秒にも及ぶ長時間の場合であったとしても、その間は、前記内蔵映像出力部からの映像情報がモニタ画面に画面表示され、ユーザに対して機器間認証動作中であることを確実に通報することができる。
【００８６】
また、ＳＴＢとモニタ間の機器間認証動作の結果、機器間の認証不良となった場合、あるいは、モニタが起動後、予め設定されている一定の経過時間が経過しても、ＳＴＢが起動状態に移行しない場合、認証不良あるいはＳＴＢが起動されていないことを示す映像情報を前記内蔵映像出力部からモニタ画面に表示させ、ユーザにその旨を通報することができる。
【００８７】
また、前記内蔵映像出力部からモニタ画面に画面表示させる映像情報としては、タイマや映像情報保存メモリを前記内蔵映像出力部に備えることにより、現在時刻や日付やカレンダを示す各種の時計情報を、あるいは、ユーザが予め登録している映像情報や文字列を、あるいは、当該映像表示装置の状況を容易に認識可能な映像情報や任意の文字列などの各種情報を、ユーザからの表示指示に基づいて画面表示することができる。更には、前記内蔵映像出力部のカードスロットに装着したメモリカードに蓄積されている映像情報や、接続用スロットに接続されているＰＣやゲーム機器などの情報処理装置からの映像情報を画面表示したりすることもできる。
【００８８】
また、前記内蔵映像出力部に、画像合成を行なうことができるＯＳＤ処理部を備えることにより、ユーザからの要求に応じて選択した映像情報や文字列や現在時刻などの時計情報を、任意に組み合わせて画像合成して画面表示させることもできる。
【図面の簡単な説明】
【図１】本発明に係る映像表示装置における一実施例として、モニタとＳＴＢとを分離して配置するセパレートタイプの映像表示装置の概念を示す概念図である。
【図２】図１に示す映像表示装置内のブロック構成の一例を示すブロック構成図である。
【図３】機器間認証動作中であることを示す表示画面の一例を示す表示画面図である。
【図４】機器間認証結果として認証が得られなかった旨を示す表示画面の一例を示す表示画面図である。
【図５】ＳＴＢが起動状態とされていない場合の表示画面の一例を示す表示画面図である。
【符号の説明】
１…液晶モニタ、２…ＳＴＢ、３…高周波デジタル伝送用ケーブル、４…モニタ電源スイッチ、５…ＳＴＢ電源スイッチ、６…外部映像入力機器、７…接続ケーブル、１０…モニタ制御部、１１…モニタ出力回路、１２…セレクタ、１３…受信側ＩＣ、１４…受信側ＩＣ用メモリ、１４ａ…ＩＤコード、１４ｂ…復号化データ、１５…モニタ側照合回路、１６…表示用入力部、１７…モニタ電源装置、１８…内蔵映像出力部、１８ａ…タイマ、１８ｂ…映像情報保存メモリ、１８ｃ…ＯＳＤ処理部、１８ｄ…カードスロット、１８ｅ…接続用スロット、２０…ＳＴＢ制御部、２１…ＡＶ入力部、２２…映像処理回路、２３…送信側ＩＣ、２４…送信側ＩＣ用メモリ、２４ａ…ＩＤコード、２４ｂ…暗号化データ、２５…ＳＴＢ側照合回路、２６…受光部、２６ａ…リモコン、２７…ＳＴＢ電源装置。
【図１】
2004187038.tif 000003
【図２】
2004187038.tif 000004
【図３】
2004187038.tif 000005
【図４】
2004187038.tif 000006
【図５】
2004187038.tif 000007